【手続補正書】
【提出日】平成19年4月11日(2007.4.11)
【手続補正１】
【補正対象書類名】明細書
【補正対象項目名】特許請求の範囲
【補正方法】変更
【補正の内容】
【特許請求の範囲】
【請求項１】  各階調値に対応したドットパターンを用いて画素の記録を行うための画像記録装置であって、
ある階調値に対応した複数の異なるドットパターンが配列されたドットパターンテーブルを格納した格納部と、
前記格納部に格納されたドットパターンテーブルの中から、画素の記録に使用されるドットパターンを選択する選択手段と、
前記ある階調値とは異なる別の階調値に対応したドットパターンを生成する生成手段とを備え、
前記画素の階調値が前記ある階調値の場合、前記選択手段により選択されるドットパターンを用いて前記画素の記録を行い、前記画素の階調値が前記別の階調値の場合、前記生成手段により生成されるドットパターンを用いて前記画素の記録を行うことを特徴とする画像記録装置。
【請求項２】  前記選択手段は、前記画素の階調値と位置情報に基づいてドットパターンを選択することを特徴とする請求項１に記載の画像記録装置。
【請求項３】  前記ドットパターン生成手段は、前記別の階調値に対応するドットパターンとして１種類のドットパターンを生成することを特徴とする請求項１または２記載の画像記録装置。
【請求項４】  前記ドットパターン生成手段は、前記画素にドットが記録されないドットパターンを生成することを特徴とする請求項１乃至３のいずれかに記載の画像記録装置。
【請求項５】  前記ドットパターン生成手段は、前記画素の全セルにドットが記録されるドットパターンであることを特徴とする請求項１乃至３のいずれかに記載の画像記録装置。
【請求項６】  各階調値に対応したドットパターンを用いて画素の記録を行うための画像記録装置であって、
同じ階調値に対応した複数の異なるドットパターンが配列されたドットパターンテーブルを１階調おきに格納した格納部と、
前記１階調おきのドットパターンテーブルの中から、画素の記録に使用されるドットパターンを選択する手段と、
前記ドットパターンテーブルが存在しない所定の階調値に対応するドットパターンを、前記所定の階調値より１つ大きい階調値に対応したドットパターンテーブル内のドットパターンと前記所定の階調値より１つ小さい階調値に対応したドットパターンテーブル内のドットパターンとに基づき生成する生成手段とを備え、
前記画素の階調値が前記所定の階調値の場合、前記生成手段により生成されるドットパターンを用いて前記画素の記録を行い、前記画素の階調値が前記所定の階調値とは異なる階調値の場合、前記選択手段により選択されるドットパターンを用いて前記画素の記録を行うことを特徴とする画像記録装置。
【請求項７】  画素の階調値に応じて、前記画素の記録に使用されるドットパターンを決定するための画像処理装置であって、
ある階調値に対応した複数の異なるドットパターンが配列されたドットパターンテーブルを格納した格納部と、
前記格納部に格納されたドットパターンテーブルの中からドットパターンを選択する選択手段と、
前記ある階調値とは異なる別の階調値に対応したドットパターンを生成するための生成手段とを備え、
前記ある階調値の画素の記録に使用されるドットパターンは、前記選択手段により選択されるドットパターンであり、
前記別の階調値の画素の記録に使用されるドットパターンは、前記生成手段により生成されるドットパターンであることを特徴とする画像処理装置。
【請求項８】  画素の階調値に応じて、前記画素の記録に使用されるドットパターンを決定するための画像処理方法であって、
前記画素の階調値がある階調値の場合、前記ある階調値に対応した複数の異なるドットパターンが配列されたドットパターンテーブルの中からドットパターンを選択することで、前記画素の記録に使用されるドットパターンを決定し、
前記画素の階調値が前記ある階調値とは異なる別の階調値の場合、前記別の階調値に対応したドットパターンを生成することで、前記画素の記録に使用されるドットパターンを決定することを特徴とする画像処理方法。
【請求項９】  請求項８に記載の画像処理方法をコンピュータに実行させるためのプログラムを格納したことを特徴とするコンピュータ可読記憶媒体。
【手続補正２】
【補正対象書類名】明細書
【補正対象項目名】００１３
【補正方法】変更
【補正の内容】
【００１３】
【課題を解決するための手段】
上記目的を達成するために本発明は、各階調値に対応したドットパターンを用いて画素の記録を行うための画像記録装置であって、ある階調値に対応した複数の異なるドットパターンが配列されたドットパターンテーブルを格納した格納部と、前記格納部に格納されたドットパターンテーブルの中から、画素の記録に使用されるドットパターンを選択する選択手段と、前記ある階調値とは異なる別の階調値に対応したドットパターンを生成する生成手段とを備え、前記画素の階調値が前記ある階調値の場合、前記選択手段により選択されるドットパターンを用いて前記画素の記録を行い、前記画素の階調値が前記別の階調値の場合、前記生成手段により生成されるドットパターンを用いて前記画素の記録を行うことを特徴とする。
【手続補正３】
【補正対象書類名】明細書
【補正対象項目名】００１４
【補正方法】変更
【補正の内容】
【００１４】
また、本発明は、各階調値に対応したドットパターンを用いて画素の記録を行うための画像記録装置であって、同じ階調値に対応した複数の異なるドットパターンが配列されたドットパターンテーブルを１階調おきに格納した格納部と、前記１階調おきのドットパターンテーブルの中から、画素の記録に使用されるドットパターンを選択する手段と、前記ドットパターンテーブルが存在しない所定の階調値に対応するドットパターンを、前記所定の階調値より１つ大きい階調値に対応したドットパターンテーブル内のドットパターンと前記所定の階調値より１つ小さい階調値に対応したドットパターンテーブル内のドットパターンとに基づき生成する生成手段とを備え、前記画素の階調値が前記所定の階調値の場合、前記生成手段により生成されるドットパターンを用いて前記画素の記録を行い、前記画素の階調値が前記所定の階調値とは異なる階調値の場合、前記選択手段により選択されるドットパターンを用いて前記画素の記録を行うことを特徴とする。
【手続補正４】
【補正対象書類名】明細書
【補正対象項目名】００１５
【補正方法】変更
【補正の内容】
【００１５】
また、本発明は、画素の階調値に応じて、前記画素の記録に使用されるドットパターンを決定するための画像処理装置であって、ある階調値に対応した複数の異なるドットパターンが配列されたドットパターンテーブルを格納した格納部と、前記格納部に格納されたドットパターンテーブルの中からドットパターンを選択する選択手段と、前記ある階調値とは異なる別の階調値に対応したドットパターンを生成するための生成手段とを備え、前記ある階調値の画素の記録に使用されるドットパターンは、前記選択手段により選択されるドットパターンであり、前記別の階調値の画素の記録に使用されるドットパターンは、前記生成手段により生成されるドットパターンであることを特徴とする。
【手続補正５】
【補正対象書類名】明細書
【補正対象項目名】００１６
【補正方法】変更
【補正の内容】
【００１６】
また、本発明は、画素の階調値に応じて、前記画素の記録に使用されるドットパターンを決定するための画像処理方法であって、前記画素の階調値がある階調値の場合、前記ある階調値に対応した複数の異なるドットパターンが配列されたドットパターンテーブルの中からドットパターンを選択することで、前記画素の記録に使用されるドットパターンを決定し、前記画素の階調値が前記ある階調値とは異なる別の階調値の場合、前記別の階調値に対応したドットパターンを生成することで、前記画素の記録に使用されるドットパターンを決定することを特徴とする。
【手続補正６】
【補正対象書類名】明細書
【補正対象項目名】００１７
【補正方法】変更
【補正の内容】
【００１７】
また、本発明は、上記記載の画像処理方法をコンピュータに実行させるためのプログラムを格納したことを特徴とするコンピュータ可読記憶媒体である。
【手続補正７】
【補正対象書類名】明細書
【補正対象項目名】００１８
【補正方法】削除
【補正の内容】
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】削除
【補正の内容】
【手続補正１３】
【補正対象書類名】明細書
【補正対象項目名】００２４
【補正方法】削除
【補正の内容】